(57)【特許請求の範囲】
【請求項１】
複数の暖房ゾーン(A,B,C) に区分けし、床暖房が必要な暖房ゾーンを選択して暖房運転を行う床暖房システムであって、
入予約関連手段および切予約関連手段を含み、
上記入予約関連手段は、
予め、運転を開始すべき入時刻を設定するための入時刻設定手段(52,53,54,55) 、
この入時刻設定手段(52,53,54,55) により設定された入時刻になると、運転信号を出力する入タイマ(108) 、
上記入時刻になると運転が開始されるべき暖房ゾーンを指定するための入ゾーン指定手段(71,72,73,74) 、および
上記入ゾーン指定手段(71,72,73,74) により指定された暖房ゾーンに対し、上記入タイマ(108) からの運転信号に応じて運転を開始させる入予約運転制御手段を含み、
上記切予約関連手段は、
予め、運転を停止すべき切時刻を設定するための切時刻設定手段(52,53,54,55) 、
この切時刻設定手段(52,53,54,55) により設定された切時刻になると、停止信号を出力する切タイマ(109) 、
上記切時刻になると運転が停止されるべき暖房ゾーンを指定するための切ゾーン指定手段(71,72,73,74) 、および
上記切ゾーン指定手段(71,72,73,74) により指定された暖房ゾーンに対し、上記切タイマ(109) からの停止信号に応じて運転を停止させる切予約運転制御手段を含み、
上記切ゾーン指定手段(71,72,73,74) は、上記入ゾーン指定手段(71,72,73,74) で指定された暖房ゾーンとは別の暖房ゾーンを指定できるものであり、
現在運転中の暖房ゾーンを表示する現在運転ゾーン表示手段(41)をさらに含むことを特徴とする床暖房システム。
【請求項２】
請求項１記載の床暖房システムにおいて、
上記入予約運転制御手段により運転が予約された暖房ゾーン、および上記切予約運転制御手段により運転の停止が予約された暖房ゾーンの少なくとも一方を表示する予約内容表示手段(42,43) をさらに含むことを特徴とする床暖房システム。
【請求項３】
複数の暖房ゾーン（Ａ，Ｂ，Ｃ）に区分けし、床暖房が必要な暖房ゾーンを選択して暖房運転を行う床暖房システムであって、
予め、運転を開始すべき入時刻または切時刻を設定するための入／切時刻設定手段（５２，５３，５４，５５）、
この入／切時刻設定手段（５２，５３，５４，５５）により設定された入時刻になると、運転信号を出力する入タイマ（１０８）、
この入／切時刻設定手段（５２，５３，５４，５５）により設定された切時刻になると、停止信号を出力する切タイマ（１０９）、
上記入時刻になると運転が開始されるべき暖房ゾーンを指定でき、上記切時刻になると上記運転が開始されるべき暖房ゾーンとは別の運転が停止されるべき暖房ゾーンを指定できるゾーン指定手段（７１，７２，７３，７４）、
上記ゾーン指定手段（７１，７２，７３，７４）により指定された暖房ゾーンに対し、上記入タイマ（１０８）からの運転信号に応じて運転を開始させる入予約運転制御手段、  上記ゾーン指定手段（７１，７２，７３，７４）により指定された暖房ゾーンに対し、上記切タイマ（１０９）からの停止信号に応じて運転を停止させる切予約運転制御手段、  上記入予約運転制御手段により運転が開始された暖房ゾーンに対して、手動操作により停止信号が与えられると、当該運転中の暖房ゾーンの運転を強制的に停止させる強制停止制御手段、および
上記切予約運転制御手段により運転が停止された暖房ゾーンに対して、手動操作により運転信号が与えられると、当該停止中の暖房ゾーンを強制的に運転させる強制運転制御手段、
を含むことを特徴とする床暖房システム。
【発明の詳細な説明】
【０００１】
【産業上の利用分野】
本発明は、複数の暖房ゾーンに区分けし、床暖房が必要な暖房ゾーンを選択して暖房運転を行う床暖房システムに関し、詳細には予約運転機能が付与された床暖房システムに係る。
【０００２】
【従来の技術および発明が解決しようとする課題】
一般に、家屋の暖房方法の１つとして、床構造の中に、ヒータ等の暖房設備を組み込んだ床暖房が知られている。
この種の床暖房として、台所、食堂、居間等といった部屋数に対応させて複数の暖房ゾーンに区分けし、床暖房が必要な暖房ゾーンを選択して暖房運転を行う床暖房システムがある。
【０００３】
しかしながら、上記床暖房システムにおいて、暖房ゾーンの選択は、暖房ゾーンを変更する都度、手動操作で回路を切り換えて行う必要がある。そのため、生活内容によって変化する、床暖房を必要とする暖房ゾーンに対応して、暖房ゾーンを選択しようとすると、その操作に手間がかかり不便であった。
ところで、各家庭毎に、起床時間、朝食時間、昼食時間、夕食時間および就寝時間等が概ね定まっており、自ずと１日の生活パターンが決まっている。
【０００４】
そこで、本願発明者は、１日の生活パターンが決まっていることに起因して、床暖房を必要とする暖房ゾーンを運転する時間帯が決まることに着目し、予め床暖房を必要とする暖房ゾーンを生活パターンに合わせて指定しておき、この指定に従って予約運転するようにすれば、以後同一のパターンで毎日運転する場合には、暖房ゾーンの選択操作が不要になるのではないかと考えた。
【０００５】
本発明は、上述した技術背景に鑑みなされたもので、予約運転機能を備えた床暖房システムを提供することを目的とする。
【０００６】
【課題を解決するための手段】
請求項１記載の発明に係る課題解決手段は、複数の暖房ゾーンに区分けし、床暖房が必要な暖房ゾーンを選択して暖房運転を行う床暖房システムであって、入予約関連手段および切予約関連手段を含み、上記入予約関連手段は、予め、運転を開始すべき入時刻を設定するための入時刻設定手段、この入時刻設定手段により設定された入時刻になると、運転信号を出力する入タイマ、上記入時刻になると運転が開始されるべき暖房ゾーンを指定するための入ゾーン指定手段、および上記入ゾーン指定手段により指定された暖房ゾーンに対し、上記入タイマからの運転信号に応じて運転を開始させる入予約運転制御手段を含み、上記切予約関連手段は、予め、運転を停止すべき切時刻を設定するための切時刻設定手段、この切時刻設定手段により設定された切時刻になると、停止信号を出力する切タイマ、上記切時刻になると運転が停止されるべき暖房ゾーンを指定するための切ゾーン指定手段、および上記切ゾーン指定手段により指定された暖房ゾーンに対し、上記切タイマからの停止信号に応じて運転を停止させる切予約運転制御手段を含み、上記切ゾーン指定手段は、上記入ゾーン指定手段で指定された暖房ゾーンとは別の暖房ゾーンを指定できるものであり、現在運転中の暖房ゾーンを表示する現在運転ゾーン表示手段をさらに含むものである。
【０００７】
請求項２記載の発明に係る課題解決手段は、請求項１記載の床暖房システムにおいて、上記入予約運転制御手段により運転が予約された暖房ゾーン、および上記切予約運転制御手段により運転の停止が予約された暖房ゾーンの少なくとも一方を表示する予約内容表示手段をさらに含むものである。
請求項３記載の発明に係る課題解決手段は、複数の暖房ゾーンに区分けし、床暖房が必要な暖房ゾーンを選択して暖房運転を行う床暖房システムであって、予め、運転を開始すべき入時刻または切時刻を設定するための入／切時刻設定手段、この入／切時刻設定手段により設定された入時刻になると、運転信号を出力する入タイマ、この入／切時刻設定手段により設定された切時刻になると、停止信号を出力する切タイマ、上記入時刻になると運転が開始されるべき暖房ゾーンを指定でき、上記切時刻になると上記運転が開始されるべき暖房ゾーンとは別の運転が停止されるべき暖房ゾーンを指定できるゾーン指定手段、上記ゾーン指定手段により指定された暖房ゾーンに対し、上記入タイマからの運転信号に応じて運転を開始させる入予約運転制御手段、上記ゾーン指定手段により指定された暖房ゾーンに対し、上記切タイマからの停止信号に応じて運転を停止させる切予約運転制御手段、上記入予約運転制御手段により運転が開始された暖房ゾーンに対して、手動操作により停止信号が与えられると、当該運転中の暖房ゾーンの運転を強制的に停止させる強制停止制御手段、および上記切予約運転制御手段により運転が停止された暖房ゾーンに対して、手動操作により運転信号が与えられると、当該停止中の暖房ゾーンを強制的に運転させる強制運転制御手段、を含むものである。
【０００８】
【作用】
上記請求項１記載の発明に係る課題解決手段において、入予約関連手段を含むので、入タイマは、入時刻設定手段により設定された入時刻になると、運転信号を出力する。そうすると、入予約運転制御手段は、入ゾーン指定手段により指定された暖房ゾーンに対し、入タイマからの運転信号に応じて運転を自動的に開始させる。また、切予約関連手段を含むので、切タイマは、切時刻設定手段により設定された切時刻になると、停止信号を出力する。そうすると、切予約運転制御手段は、切ゾーン指定手段により指定された暖房ゾーンに対し、切タイマからの停止信号に応じて運転を自動的に停止させる。
【０００９】
よって、予約運転が可能となり、予め床暖房を必要とする暖房ゾーンを生活パターンに合わせて指定しておき、この指定に従って予約運転するようにすれば、以後同一のパターンで毎日運転する場合には、暖房ゾーンの選択操作が不要になる。
さらに、現在運転ゾーン表示手段にて、現在運転中の暖房ゾーンが表示される。そのため、いずれの暖房ゾーンで運転が行われているかの確認が容易となり、その結果、不要な暖房ゾーンが運転されていた場合に、これを容易にチェックして、その暖房ゾーンの運転を停止することができるので、無駄な運転を防止することができる。
【００１０】
請求項２記載の発明に係る課題解決手段では、予約内容表示手段にて、入予約運転制御手段により運転が予約された暖房ゾーン、および切予約運転制御手段により運転の停止が予約された暖房ゾーンの少なくとも一方が表示される。そのため、次に予約運転される暖房ゾーン、および予約停止される暖房ゾーンの少なくとも一方が容易に判り、予約設定操作を重複して行う等の、無駄な操作を防止できる。
【００１１】
請求項３記載の発明に係る課題解決手段において、強制停止制御手段を含むので、強制停止制御手段は、入予約運転制御手段により運転中の暖房ゾーンに対して、手動操作により停止信号が与えられると、当該運転中の暖房ゾーンの運転を強制的に停止させる。また、強制運転制御手段を含むので、強制運転制御手段は、切予約運転制御手段により停止中の暖房ゾーンに対して、手動操作により運転信号が与えられると、当該停止中の暖房ゾーンを強制的に運転させる。
【００１２】
このように、予約内容を実行している場合に、予約内容に反する手動操作がなされると、なされた手動操作の内容の方を優先して実行する結果、使用者の希望に自在に対応した運転が可能となり、便利である。また、予約解除等の面倒な操作をしなくてもよいので、使い勝手がよい。
【００１３】
【実施例】
以下、本発明の実施例を添付図面に基づき詳細に説明する。
図１は本発明の一実施例に係る床暖房システムの構成を示す概略図である。同図を参照して、本実施例の床暖房システムは、台所、食堂、居間に対応させて３つの暖房ゾーンＡ，Ｂ，Ｃに区分けし、床暖房が必要な暖房ゾーンを選択して暖房運転を行うものであり、予約運転機能が付与されている。
【００１４】
各暖房ゾーンＡ，Ｂ，Ｃの床面部は、表面側の木質床材と、床下側の基材との間に抵抗発熱するフィルム状のヒータを介在させた床暖房パネルからなり、各暖房ゾーンＡ，Ｂ，Ｃの床暖房パネルは、それぞれ、リレー１ａ，１ｂ，１ｃおよびブレーカ２ａ，２ｂ，２ｃを介して電源３に対して並列に接続されている。リレー１ａ，１ｂ，１ｃは、リレーボックス４に内蔵されており、このリレーボックス４には、各リレー１ａ，１ｂ，１ｃへの通電を制御するコントローラ５が接続されている。このコントローラ５は、家屋内の比較的目に触れ易い所の壁に取り付けられる。
【００１５】
図２はコントローラの平面図である。同図を参照して、コントローラ５は、大きくは運転／停止関係ブロック１０、時刻表示関係ブロック２０、床温度表示関係ブロック３０、ゾーン表示関係ブロック４０、タイマ設定関係ブロック５０、床温度調節関係ブロック６０およびゾーン指定関係ブロック７０に区分けされている。
【００１６】
運転／停止関係ブロック１０には、運転または停止を促すための運転／停止ボタン１１と、運転または停止をＬＥＤ表示する運転／停止表示ランプ１２とが備えられている。運転／停止表示ランプ１２は、運転中であると点灯し、停止中であると消灯する。
時刻表示関係ブロック２０には、現在時刻をＬＣＤ表示する現在時刻表示器２１と、運転を開始すべき時刻（以下、「入時刻」という。）をＬＣＤ表示する入時刻表示器２２と、運転を停止すべき時刻（以下、「切時刻」という。）をＬＣＤ表示する切時刻表示器２３とが備えられている。
【００１７】
床温度表示関係ブロック３０には、床温度を「低」から「高」まで段階的にＬＣＤ表示する床温度表示器３１が備えられている。
ゾーン表示関係ブロック４０には、現在運転中の暖房ゾーンをＬＣＤ表示する暖房ゾーン表示器４１と、入時刻になると運転が開始されることが予約されている暖房ゾーン（以下、「入ゾーン」という。）をＬＣＤ表示する予約入ゾーン表示器４２と、切時刻になると運転が停止されることが予約されている暖房ゾーン（以下、「切ゾーン」という。）をＬＣＤ表示する予約切ゾーン表示器４３とが備えられている。
【００１８】
タイマ設定関係ブロック５０は、現在時刻の時計合せを促すための時計合せボタン５１と、現在時刻表示器２１、入時刻表示器２２および切時刻表示器２３でそれぞれ表示されている時刻をすすめるためのすすむボタン５２と、現在時刻表示器２１、入時刻表示器２２および切時刻表示器２３でそれぞれ表示されている時刻をもどすためのもどすボタン５３と、タイマの設定を促すためのタイマ設定ボタン５４と、プログラムタイマ運転の「入」または「切」を促すためのプログラムタイマ入／切ボタン５５とが備えられている。
【００１９】
床温度調節関係ブロック６０には、床温度を低く調節するための低めボタン６１と、床温度を高く調節するための高めボタン６２とが備えられている。
ゾーン指定関係ブロック７０には、暖房ゾーンＡの運転または停止を指定するためのＡゾーン入／切ボタン７１と、暖房ゾーンＢの運転または停止を指定するためのＢゾーン入／切ボタン７２と、暖房ゾーンＣの運転または停止を指定するためのＣゾーン入／切ボタン７３と、入ゾーンおよび切ゾーンの予約を促すためのゾーン予約ボタン７４とが備えられている。
【００２０】
ここで、予約を行う際の操作手順について説明する。
(1) まず、入時刻および切時刻を設定する。入時刻を設定する場合には、まずプログラムタイマ入／切ボタン５５を押し、つづいてタイマ設定ボタン５４を押す。その後、すすむボタン５２およびもどすボタン５３を操作して、入時刻表示器２２の表示時刻を所望の入時刻に合わせる。これで入時刻の設定が終了する。一方、切時刻を設定する場合には、まずプログラムタイマ入／切ボタン５５を押し、つづいてタイマ設定ボタン５４を押す。その後、すすむボタン５２およびもどすボタン５３を操作して、切時刻表示器２３の表示時刻を所望の切時刻に合わせる。これで切時刻の設定が終了する。
【００２１】
(2) 次に、入ゾーンおよび切ゾーンを指定する。入ゾーンを指定する場合には、ゾーン予約ボタン７４を押し、その後Ａゾーン入／切ボタン７１、Ｂゾーン入／切ボタン７２およびＣゾーン入／切ボタン７３の内から入ゾーンに対応するボタンを選択して押し、予約入ゾーン表示器４２の表示内容を所望の入ゾーンに合わせる。これで入ゾーンの指定が終了する。一方、切ゾーンを指定する場合には、ゾーン予約ボタン７４を押し、その後Ａゾーン入／切ボタン７１、Ｂゾーン入／切ボタン７２およびＣゾーン入／切ボタン７３の内から切ゾーンに対応するボタンを選択して押し、予約入ゾーン表示器４２の表示内容を所望の切ゾーンに合わせる。これで切ゾーンの指定が終了する。
【００２２】
図３はコントローラの電気的構成を示すブロック図である。同図を参照して、コントローラ５には、ＣＰＵ、データＲＡＭおよびプログラムＲＯＭを含み、制御中枢を司るマイクロコンピュータ１００と、入時刻、入ゾーン、切時刻および切ゾーンを記憶するＥＥＰＲＯＭ１０１とが備えられている。
マイクロコンピュータ１００には、電源回路１０２およびリセット回路１０３を介して電源３から電力が与えらる。また、マイクロコンピュータ１００には、各暖房ゾーンＡ，Ｂ，Ｃの床温度を検知する温度センサＴｈａ，Ｔｈｂ，Ｔｈｃからの検知信号、およびボタン入力回路１０４を介して上述した各種の操作ボタンからの各種の操作信号が与えられる。温度センサＴｈａ，Ｔｈｂ，Ｔｈｃは、サーミスタ等の温度検知素子からなり、それぞれ、各暖房ゾーンＡ，Ｂ，Ｃに配置されている。
【００２３】
マイクロコンピュータ１００では、上述の与えられる各種の信号に基づき、リレー出力回路１０５ａ，１０５ｂ，１０５ｃ、ＬＥＤ出力回路１０６およびＬＣＤ出力回路１０７の駆動を制御する。リレー出力回路１０５ａ，１０５ｂ，１０５ｃは、それぞれ、対応する各リレー１ａ，１ｂ，１ｃを発停させるものであり、ＬＥＤ出力回路１０６は、運転／停止表示ランプ１２にＬＥＤ表示させるものであり、ＬＣＤ出力回路１０７は、現在時刻表示器２１、入時刻表示器２２、切時刻表示器２３、床温度表示器３１、暖房ゾーン表示器４１、予約入ゾーン表示器４２および予約切ゾーン表示器４３にＬＣＤ表示させるものである。
【００２４】
また、マイクロコンピュータ１００は、ボタン入力回路１０４を介して入時刻設定信号および入ゾーン指定信号が与えられると、入時刻および入ゾーンをＥＥＰＲＯＭ１０１に格納させると共に、入タイマ１０８に入時刻を設定する。入時刻になると、入タイマ１０８は運転信号を出力し、これに基づき、マイクロコンピュータ１００は、ＥＥＰＲＯＭ１０１に蓄えられている入時刻および入ゾーンを読み出し参照して、入ゾーンに対応するリレー出力回路を駆動させて、これに対応するリレーをオンする。
【００２５】
一方、マイクロコンピュータ１００は、ボタン入力回路１０４を介して切時刻設定信号および切ゾーン指定信号が与えられると、切時刻および切ゾーンをＥＥＰＲＯＭ１０１に格納させると共に、切タイマ１０９に切時刻を設定する。切時刻になると、切タイマ１０９は停止信号を出力し、これに基づき、マイクロコンピュータ１００は、ＥＥＰＲＯＭ１０１に蓄えられている切時刻および切ゾーンを読み出し参照して、切ゾーンに対応するリレー出力回路を駆動させて、これに対応するリレーをオフする。
【００２６】
図中、１１０は現在時刻を計時する現在タイマであって、マイクロコンピュータ１００では、ボタン入力回路１０４を介して時計合せを促す信号が与えられると、現在タイマ１１０の時計合せが行われる。そして、マイクロコンピュータ１００は、現在タイマ１１０から計時出力が与えられると、ＬＣＤ出力回路１０７を介して現在時刻表示器２１に現在時刻を表示させる。
【００２７】
図４は床暖房システムの動作の流れを示すフローチャート、図５はリレー通電制御処理の流れを示すフローチャート、図６はＥＥＰＲＯＭの記憶内容の一例を示す図、図７は床暖房システムの動作タイミングの一例を示すタイミングチャートである。なお、図６および図７は、入時刻を午前６時に設定し、入ゾーンとして暖房ゾーンＡ，Ｂを指定すると共に、切時刻を午前１時に設定し、切ゾーンとして暖房ゾーンＣを指定して予約運転を行う場合を想定している。
【００２８】
ここで、上記のように予約したのは、
(1) 部屋の用途の特徴により、暖房の入時刻は一定している、または確実に入力したいが切時刻は一定していないことがある。例えば、台所や食堂等は、毎朝、一定の起床時刻前に入力する必要があるが、外出時間は異なるため、切時刻が一定しないことがあるので、入時刻のみタイマ入力にし、切時刻は手動操作である方が便利であるからである。
【００２９】
(2) また、暖房の切時刻は一定している、または確実にしたいが入時刻は一定しないことがある。例えば、寝室（居間で就寝する場合も含む）等は、入時刻は一定しないが、就寝した後は確実に切る必要があるからである。
図４を参照して、電源スイッチがオンされると、コントローラ５の各種ボタンを操作してボタン入力が行われる（ステップＳ１、Ｓ２）。
【００３０】
ここで、上述したように、入時刻を午前６時に、入ゾーンを暖房ゾーンＡ，Ｂに、切時刻を午前１時に、切ゾーンを暖房ゾーンＣにそれぞれ予約がなされたとすると、入タイマ１０８に入時刻として午前６時が設定され（ステップＳ５）、切タイマ１０９に切時刻として午前１時が設定され（ステップＳ６）、入ゾーンとして暖房ゾーンＡ，Ｂが選択処理され（ステップＳ７）、切ゾーンとして暖房ゾーンＣが選択処理される（ステップＳ８）。そして、図６に示すように、これらの予約内容がＥＥＰＲＯＭ１０１に記憶される。
【００３１】
図７においては、入時刻である午前６時までは運転がなされないので、図４に示すステップＳ３およびＳ１１で停止中と判別され、リレー通電制御処理に移される（ステップＳ１５）。図５を参照して、リレー通電制御処理に投入されると、マイクロコンピュータ１００は、いずれの暖房ゾーンにも通電しないと判断しているため（ステップＦ１、Ｆ３、Ｆ５）、各暖房ゾーンＡ，Ｂ，Ｃに対応する各リレー１ａ，１ｂ，１ｃはオフされたままである（ステップＦ７〜Ｆ９）。その結果、図７に示すように、全暖房ゾーンＡ，Ｂ，Ｃの暖房運転が停止される。このとき、暖房ゾーン表示器４１では何も表示されず、予約入ゾーン表示器４２では「Ａ」「Ｂ」が表示され、予約切ゾーン表示器４３では「Ｃ」が表示される（以下、「パターンＩの表示」という。）。なお、入時刻表示器２２には午前６時が表示され、切時刻表示器２３には午前１時が表示される。
【００３２】
図４を参照して、入時刻である午前６時になった判別されると（ステップＳ９）、リレー通電制御処理に移される（ステップＳ１３）。このとき、入タイマ１０８は運転信号を出力する。図５を参照して、リレー通電制御処理に投入されると、マイクロコンピュータ１００は、入タイマ１０８からの運転信号を受け、ＥＥＰＲＯＭ１０１に蓄えられている入時刻および入ゾーンを読み出し参照して、入ゾーンとして指定された暖房ゾーンＡ，Ｂに通電すべきと判断するため（ステップＦ１、Ｆ３）、暖房ゾーンＡ，Ｂに対応するリレー１ａ，１ｂがオンされる（ステップＦ２、Ｆ４）。その結果、図７に示すように、暖房ゾーンＡ，Ｂにおいて予約暖房運転が自動的に開始される。このとき、暖房ゾーン表示器４１では「Ａ」「Ｂ」が表示され、予約入ゾーン表示器４２では「Ａ」「Ｂ」が表示され、予約切ゾーン表示器４３では「Ｃ」が表示される（以下、「パターンＩＩの表示」という。）。
【００３３】
図７においては、家を留守する等の理由で午前９時に運転／停止ボタン１１が手動操作されて運転が停止されるため、図４に示すステップＳ３およびＳ１１で停止中と判別され、リレー通電制御処理に移される（ステップＳ１５）。図５を参照して、リレー通電制御処理に投入されると、マイクロコンピュータ１００は、いずれの暖房ゾーンにも通電しないと判断しているため（ステップＦ１、Ｆ３、Ｆ５）、各暖房ゾーンＡ，Ｂ，Ｃに対応する各リレー１ａ，１ｂ，１ｃをオフする（ステップＦ７〜Ｆ９）。その結果、図７に示すように、予約運転中の暖房ゾーンＡ，Ｂの暖房運転が強制的に停止される。このとき、上記パターンＩの表示が行われる。
【００３４】
図７においては、帰宅した等の理由で午前１１時に運転／停止ボタン１１が手動操作され、またＥＥＰＲＯＭ１０１に記憶された上記午前９時の停止操作前の設定に従って、暖房ゾーンＡ，Ｂが運転ゾーンとして選択処理される（ステップＳ４）。そして、ステップＳ１１で運転中と判別され、リレー通電制御処理に移される（ステップＳ１２）。図５を参照して、マイクロコンピュータ１００は、Ａ，Ｂ選択信号に基づき、暖房ゾーンＡ，Ｂに通電すべきと判断するため（ステップＦ１、Ｆ３）、暖房ゾーンＡ，Ｂに対応するリレー１ａ，１ｂがオンされる（ステップＦ２、Ｆ４）。その結果、図７に示すように、暖房ゾーンＡ，Ｂにおいて暖房運転が開始される。このとき、上記パターンＩＩの表示が行われる。
【００３５】
図７においては、家を留守する等の理由で午後１時に運転／停止ボタン１１が手動操作されて運転が停止されるため、図４に示すステップＳ３およびＳ１１で停止中と判別され、リレー通電制御処理に移される（ステップＳ１５）。図５を参照して、リレー通電制御処理に投入されると、マイクロコンピュータ１００は、いずれの暖房ゾーンにも通電しないと判断しているため（ステップＦ１、Ｆ３、Ｆ５）、各暖房ゾーンＡ，Ｂ，Ｃに対応する各リレー１ａ，１ｂ，１ｃをオフする（ステップＦ７〜Ｆ９）。その結果、図７に示すように、暖房ゾーンＡ，Ｂの暖房運転が停止される。このとき、上記パターンＩの表示が行われる。
【００３６】
図７においては、帰宅した等の理由で午後５時に運転／停止ボタン１１が手動操作され、Ｃゾーン入／切ボタン７３が手動操作されて、ＥＥＰＲＯＭ１０１に記憶された午後１時の停止前のゾーンＡ，Ｂと合わせて全暖房ゾーンＡ，Ｂ，Ｃの運転が選択されるため、図４に示すステップＳ３で運転中と判別され、全暖房ゾーンＡ，Ｂ，Ｃが運転ゾーンとして選択処理される（ステップＳ４）。そして、ステップＳ１１で運転中と判別され、リレー通電制御処理に移される（ステップＳ１２）。図５を参照して、マイクロコンピュータ１００は、Ａ，Ｂ，Ｃ選択信号に基づき、全暖房ゾーンＡ，Ｂ，Ｃに通電すべきと判断するため（ステップＦ１、Ｆ３、Ｆ５）、各暖房ゾーンＡ，Ｂ，Ｃに対応するリレー１ａ，１ｂ，１ｃがオンされる（ステップＦ２、Ｆ４、Ｆ６）。その結果、図７に示すように、暖房ゾーンＡ，Ｂにおいて暖房運転が開始されると共に、予約停止中の暖房ゾーンＣにおいて暖房運転が強制的に開始される。このとき、暖房ゾーン表示器４１では「Ａ」「Ｂ」「Ｃ」が表示され、予約入ゾーン表示器４２では「Ａ」「Ｂ」が表示され、予約切ゾーン表示器４３では「Ｃ」が表示される（パターンＩＩＩの表示）。
【００３７】
図７においては、夕食が終わった等の理由で午後８時にＡゾーン入／切ボタン７１およびＢゾーン入／切ボタン７２が手動操作されて、暖房ゾーンＡ，Ｂの運転が停止され、暖房ゾーンＣのみの運転が選択されるため、図４に示すステップＳ３で運転中と判別され、暖房ゾーンＣのみが運転ゾーンとして選択処理される（ステップＳ４）。そして、再びステップＳ１１で運転中と判別され、リレー通電制御処理に移される（ステップＳ１２）。図５を参照して、マイクロコンピュータ１００は、Ｃ選択信号に基づき、暖房ゾーンＣのみに通電を継続すべきと判断するため（ステップＦ１、Ｆ３、Ｆ５）、暖房ゾーンＣに対応するリレー１ｃのみがオン状態が継続される（ステップＦ２、Ｆ４、Ｆ６）。その結果、図７に示すように、暖房ゾーンＡ，Ｂの暖房運転が停止され、暖房ゾーンＣにおいてのみ暖房運転が継続される。このとき、暖房ゾーン表示器４１では「Ｃ」が表示され、予約入ゾーン表示器４２では「Ａ」「Ｂ」が表示され、予約切ゾーン表示器４３では「Ｃ」が表示される（パターンＩＶの表示）。
【００３８】
図４を参照して、切時刻である午前１時になったと判別されると（ステップＳ１０）、リレー通電制御処理に移される（ステップＳ１４）。このとき、切タイマ１０９は停止信号を出力する。図５を参照して、リレー通電制御処理に投入されると、マイクロコンピュータ１００は、切タイマ１０９からの停止信号を受け、ＥＥＰＲＯＭ１０１に蓄えられている切時刻および切ゾーンを読み出し参照して、切ゾーンとして指定された暖房ゾーンＣへの通電を遮断すべきと判断するため（ステップＦ５）、暖房ゾーンＣに対応するリレー１ｃがオフされる（ステップＦ９）。その結果、図７に示すように、暖房ゾーンＣにおいて暖房運転が自動的に予約停止される。このとき、上記パターンＩの表示が行われる。
【００３９】
本実施例の床暖房システムでは、入ゾーンとして指定された暖房ゾーンに対し、入タイマ１０８からの運転信号に応じて運転を自動的に開始させ、切ゾーンとして指定された暖房ゾーンに対し、切タイマ１０９からの停止信号に応じて運転を自動的に停止させるので、予約運転が可能となり、予め床暖房を必要とする暖房ゾーンを生活パターンに合わせて指定しておき、この指定に従って予約運転するようにすれば、以後同一のパターンで毎日運転する場合には、暖房ゾーンの選択操作が不要になる。
【００４０】
また、本実施例の床暖房システムでは、暖房ゾーン表示器４１にて現在運転中の暖房ゾーンを表示するようにしているので、いずれの暖房ゾーンで運転が行われているかの確認が容易となる。その結果、不要な暖房ゾーンが運転されていた場合に、これを容易にチェックして、その暖房ゾーンの運転を停止することができるので、無駄な運転を防止することができる。
【００４１】
さらに、本実施例の床暖房システムでは、予約入ゾーン表示器４２にて運転が予約された暖房ゾーン（入ゾーン）を表示し、予約切ゾーン表示器４３にて運転の停止が予約された暖房ゾーン（切ゾーン）を表示するようにしているので、次に予約運転または予約停止される暖房ゾーンが容易に判る。その結果、例えば既に予約されている暖房ゾーンが重複して予約設定操作される等の、無駄な操作を防止できる。
【００４２】
さらにまた、本実施例の床暖房システムでは、予約運転中の暖房ゾーン（入ゾーン）に対して、手動操作により停止信号が与えられると、当該予約運転中の暖房ゾーンの運転を強制的に停止させ、また、予約停止中の暖房ゾーン（切ゾーン）に対して、手動操作により運転信号が与えられると、当該予約停止中の暖房ゾーンを強制的に運転させるようにしている。さらに、予約されている暖房ゾーンの運転や停止が手動により行える。このように、予約内容を実行している場合に、予約内容に反する手動操作や異なる手動操作がなされると、なされた手動操作の内容の方を優先して実行する。したがって、使用者の希望に自在に対応した運転が可能となり、便利である。また、予約解除等の面倒な操作をしなくてもよいので、使い勝手がよい。
【００４３】
【００４４】
【００４５】
また、上記実施例では、現在運転中の暖房ゾーンおよび予約内容の表示を行うようにしているが、この両者のうちいずれか一方のみを表示するようにしてもよく、また両者を全く表示しないようにしてもよい。
さらに、上記実施例において、「入」「切」の組み合わせタイマをさらに設け、任意の暖房ゾーンの入時刻と切時刻とを設定できるようにしてもよい。上記組み合わせタイマは、複数の予約内容を設定できるものであってもよい。
【００４６】
その他、本発明の要旨を変更しない範囲で種々の設計変更および修正を加え得ることは勿論である。
【００４７】
【発明の効果】
以上の説明から明らかな通り、請求項１記載の発明によると、予約運転が可能となり、予め床暖房を必要とする暖房ゾーンを生活パターンに合わせて指定しておき、この指定に従って予約運転するようにすれば、以後同一のパターンで毎日運転する場合には、暖房ゾーンの選択操作が不要になる。
【００４８】
さらに、いずれの暖房ゾーンで運転が行われているかの確認が容易となる。その結果、不要な暖房ゾーンが運転されていた場合に、これを容易にチェックして、その暖房ゾーンの運転を停止することができるので、無駄な運転を防止することができる。
請求項２記載の発明では、次に予約運転される暖房ゾーンおよび予約停止される暖房ゾーンの少なくとも一方が容易に判り、予約設定操作を重複して行う等の、無駄な操作を防止できる。
【００４９】
請求項３記載の発明によると、予約内容を実行している場合に、予約内容に反する手動操作等がなされると、なされた手動操作の内容の方を優先して実行する結果、使用者の希望に自在に対応した運転が可能となり、便利である。また、予約解除等の面倒な操作をしなくてもよいので、使い勝手がよい。
【図面の簡単な説明】
【図１】  本発明の一実施例に係る床暖房システムの構成を示す概略図である。
【図２】  コントローラの平面図である。
【図３】  コントローラの電気的構成を示すブロック図である。
【図４】  床暖房システムの動作の流れを示すフローチャートである。
【図５】  リレー通電制御処理の流れを示すフローチャートである。
【図６】  ＥＥＰＲＯＭの記憶内容の一例を示す図である。
【図７】  床暖房システムの動作タイミングの一例を示すタイミングチャートである。
【符号の説明】
Ａ，Ｂ，Ｃ暖房ゾーン
５  コントローラ
４１  暖房ゾーン表示器
４２  予約入ゾーン表示器
４３  予約切ゾーン表示器
５２  すすむボタン
５３  もどすボタン
５４  タイマ設定ボタン
５５  プログラムタイマ入／切ボタン
７１  Ａゾーン入／切ボタン
７２  Ｂゾーン入／切ボタン
７３  Ｃゾーン入／切ボタン
７４  ゾーン予約ボタン
１００  マイクロコンピュータ
１０８  入タイマ
１０９  切タイマ
【図１】
0003640993.tif 000002
【図２】
0003640993.tif 000003
【図３】
0003640993.tif 000004
【図４】
0003640993.tif 000005
【図５】
0003640993.tif 000006
【図６】
0003640993.tif 000007
【図７】
0003640993.tif 000008